(57)【要約】【課題】  ＯＡＭパケットを転送することなく、一定時間間隔内でのパケット信号の受信有無で、伝送路断・劣化の検出を行う。【解決手段】  送信側では、変換部２１２は、保守運用信号パケットを含めず、周期的に主信号を送信する。受信側では、伝送路障害検出装置２１５は、主信号を受信した後に、予め設定された時間、次の主信号を受信していないと判定した場合、伝送路障害を検出したと判断する。ＯＡＭ処理部３１３は、前記伝送路障害検出装置２１５による伝送路障害の検出に基づき、対向の伝送装置へ主信号が伝送されていない状態かアイドル状態かを検出し、アイドル状態のときに伝送路障害を通知するための保守運用信号を対向の伝送装置へ送信する。【選択図】  図８
2011009811.tif 000002
【特許請求の範囲】
【請求項１】
ＳＤＨ（Ｓｙｎｃｈｒｏｎｏｕｓ  Ｄｉｇｉｔａｌ  Ｈｉｅｒａｒｃｈｙ）／ＳＯＮＥＴ（Ｓｙｎｃｈｒｏｎｏｕｓ  Ｏｐｔｉｃａｌ  ＮＥＴｗｏｒｋ）信号又は他の同期伝送信号をＭＰＬＳ（Ｍｕｌｔｉ−Ｐｒｏｔｏｃｏｌ  Ｌａｂｅｌ  Ｓｗｉｔｃｈｉｎｇ）信号にカプセル化し、ＭＰＬＳ信号をＳＤＨ／ＳＯＮＥＴ号にデカプセル化し、保守運用信号の挿入及び受信処理を実行する伝送装置において、
対向伝送装置側から入力されたＭＰＬＳ信号を主信号と保守運用信号に分け、伝送路障害を検出するための伝送路障害検出装置と、
前記伝送路障害検出装置による伝送路障害の検出に基づき、対向の伝送装置に保守運用信号を送信するための保守運用信号処理部と、
ユーザ装置側から出力されたＳＤＨ／ＳＯＮＥＴ信号又は他の同期伝送信号をカプセル化し、対向伝送装置側へと出力し、前記伝送路障害検出装置から出力されたＭＰＬＳ信号の主信号をデカプセル化して、ユーザ装置側に送出するための変換部と、
を備え、
送信側では、
前記変換部は、保守運用信号パケットを含めず、周期的に主信号を送信し、
受信側では、
前記伝送路障害検出装置は、主信号を受信した後に、予め設定された時間、次の主信号を受信していないと判定した場合、伝送路障害を検出したと判断し、
前記保守運用信号処理部は、前記伝送路障害検出装置による伝送路障害の検出に基づき、対向の伝送装置へ主信号が伝送されていない状態かアイドル状態かを検出し、アイドル状態のときに伝送路障害を通知するための保守運用信号を前記対向の伝送装置へ送信する
ことにより、主信号を用いた伝送路障害を検出するための前記伝送装置。
【請求項２】
前記変換部又は前記保守運用信号処理部又は前記伝送路障害検出装置から障害検出の通知を受け、前記保守運用信号処理部に保守運用信号の送信を指示するための警報処理部をさらに備えたことを特徴とする請求項１に記載の伝送装置。
【請求項３】
前記伝送路障害検出装置は、伝送路障害を検出した場合に前記警報処理部に通知し、
前記警報処理部は、前記保守運用信号処理部に、伝送路障害を通知する保守運用信号を対向装置へ送信するための指示をすることを特徴とする請求項２に記載の伝送装置。
【請求項４】
前記保守運用信号処理部は、前記伝送路障害検出装置から保守運用信号が入力されると、保守運用信号の種別を検出した際、検出した種別を前記警報処理部に通知し、
前記警報処理部は、対向装置に通知すべき警報に関しては、前記保守運用信号処理部に、検出した保守運用信号に対応する障害を通知する保守運用信号を対向装置へ送信するための指示をすることを特徴とする請求項２又は３に記載の伝送装置。
【請求項５】
前記変換部は、障害を検出した場合に前記警報処理部に通知し、
前記警報処理部は、対向装置に通知すべき警報に関しては、前記保守運用信号処理部に、検出した保守運用信号に対応する障害を通知する保守運用信号を対向装置へ送信するための指示をすることを特徴とする請求項２に記載の伝送装置。
【請求項６】
前記伝送路障害検出装置は、
ＭＰＬＳ信号を受信し、受信したＭＰＬＳ信号のラベルを読み取り、主信号と保守運用信号に分けて、主信号を前記変換部へ出力し、保守運用信号を前記保守運用信号処理部へ出力する判定部と、
主信号が周期的に受信することを監視する周期監視タイマーと
を具備し、
前記判定部は、前記周期監視タイマーを参照し、主信号が一定時間以上受信されないことにより伝送路障害を検出することを特徴とすることを特徴とする請求項１に記載の伝送装置。
【請求項７】
前記保守運用信号は、上り方向若しくは送信方向に異常及びその原因となる障害情報を通知するための信号、及び／又は、下り方向若しくは送信方向と逆向きの方向に異常及びその原因、障害発生情報を通知するための信号であることを特徴とする請求項１に記載の伝送装置。
【請求項８】
請求項１乃至７のいずれかに記載の伝送装置と、
多重化したＭＰＬＳ信号を対向伝送装置と伝送するネットワークノードインターフェースと、
前記伝送装置とネットワークノードインターフェースの間の伝送方路の切替を実施するスイッチと、
を備えた伝送システム。
【請求項９】
請求項１乃至８のいずれかに記載の伝送装置を複数備えたネットワークにおいて、前記ネットワーク内の複数の前記伝送装置と通信を行い、前記伝送装置の伝送路障害を含む保守情報を管理する管理装置を具備し、
前記管理装置により、前記ネットワーク内にある伝送装置間の伝送路障害を検出することを特徴とする、伝送装置を管理及び運用するための伝送システム。
【請求項１０】
ＳＤＨ（Ｓｙｎｃｈｒｏｎｏｕｓ  Ｄｉｇｉｔａｌ  Ｈｉｅｒａｒｃｈｙ）／ＳＯＮＥＴ（Ｓｙｎｃｈｒｏｎｏｕｓ  Ｏｐｔｉｃａｌ  ＮＥＴｗｏｒｋ）信号又は他の同期伝送信号をＭＰＬＳ（Ｍｕｌｔｉ−Ｐｒｏｔｏｃｏｌ  Ｌａｂｅｌ  Ｓｗｉｔｃｈｉｎｇ）信号にカプセル化し、ＭＰＬＳ信号をＳＤＨ／ＳＯＮＥＴ号にデカプセル化し、保守運用信号の挿入及び受信処理を実行する伝送装置における障害検出方法であって、
送信側では、
ユーザ装置側から出力されたＳＤＨ／ＳＯＮＥＴ信号又は他の同期伝送信号をカプセル化し、対向伝送装置側へ、保守運用信号パケットを含めず、周期的に主信号を送信し、
受信側では、
対向伝送装置側から入力されたＭＰＬＳ信号を主信号と保守運用信号に分け、主信号を受信した後に、予め設定された時間、次の主信号を受信していないと判定した場合、伝送路障害を検出したと判断し、
前記伝送路障害の検出に基づき、対向の伝送装置へ主信号が伝送されていない状態かアイドル状態かを検出し、アイドル状態のときに伝送路障害を通知するための保守運用信号を前記対向の伝送装置へ送信する
ことにより、主信号を用いた伝送路障害を検出するための前記障害検出方法。
【発明の詳細な説明】
【技術分野】
【０００１】
本発明は、伝送装置、伝送システム、障害検出方法に係り、特に、Ｔ−ＭＰＬＳ等のＭＰＬＳ技術における主信号パケットを用いた伝送路断を検出するための伝送装置、伝送システム、障害検出方法に関する。
さらに、本発明は、例えば、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）Ｙ．１３７０．１、Ｙ．１３７１、Ｙ．１３８１などに規定されるＳＤＨ（Ｓｙｎｃｈｒｏｎｏｕｓ  Ｄｉｇｉｔａｌ  Ｈｉｅｒａｒｃｈｙ）／ＳＯＮＥＴ（Ｓｙｎｃｈｒｏｎｏｕｓ  Ｏｐｔｉｃａｌ  ＮＥＴｗｏｒｋ）信号等の同期伝送信号をＭＰＬＳ（Ｍｕｌｔｉ−Ｐｒｏｔｏｃｏｌ  Ｌａｂｅｌ  Ｓｗｉｔｃｈｉｎｇ）信号にカプセル化・デカプセル化する伝送装置において、周期的に主信号パケットを伝送させることで伝送路断を検出する保守信号の代わりに、主信号パケットを用いて伝送路断を検出する方式に関するものである。
【背景技術】
【０００２】
近年、通信キャリアのバックボーンネットワークのフルＩＰ（Ｉｎｔｅｒｎｅｔ  Ｐｒｏｔｏｃｏｌ）・Ｅｔｈｅｒｎｅｔ（登録商標）化が進展しており、旧来から存在するＳＤＨ／ＳＯＮＥＴ技術をベースとするバックボーンネットワークと新しいＩＰ・Ｅｔｈｅｒｎｅｔ技術をベースとするバックボーンネットワークが並存する状況となっている。
本状況を受け、ネットワーク並存による設備、保守の非効率解消の為に、ＳＤＨ／ＳＯＮＥＴ信号をＩＰ・Ｅｔｈｅｒｎｅｔパケット化することにより、ＩＰ・Ｅｔｈｅｒｎｅｔベースのバックボーンネットワークに集約を図る為の検討が行われている。このような検討技術は、具体的には、ＩＴＵ−Ｔ  Ｙ．１３７０．１、Ｙ．１３７１、Ｙ．１３８１などに規定されるＴ−ＭＰＬＳ（Ｔｒａｎｓｐｏｒｔ−ＭＰＬＳ）技術などに代表される。
【０００３】
図１に、ＭＰＬＳデータフレームフォーマットを示す。
Ｔ−ＭＰＬＳ技術において、ＳＤＨ／ＳＯＮＥＴ信号は、そのペイロード部をＩＴＵ−Ｔ  Ｙ．１４１３（ユーザプレーンにおけるＴＤＭ−ＭＰＬＳ（Ｔｉｍｅ  Ｄｉｖｉｓｉｏｎ  Ｍｕｌｔｉｐｌｅｘｉｎｇ−ＭＰＬＳ）インタワーキング規定）に従い、低次郡パスをフレームの基本単位としてその整数倍のバイト数にまとめられた後、図１に示すようなＭＰＬＳフレームのデータフォーマットに格納される。ＭＰＬＳのフレームはレイヤ２ヘッダ（プリアングル／ＳＦＤ、宛先アドレス、送信元アドレス、Ｔｙｐｅ／Ｌｅｎｇｔｈ）とレイヤ３ヘッダ（ＳＤＨ／ＳＯＮＥＴ信号のペイロードデータのヘッダ）の間に、４バイトのシムヘッダと呼ばれるＭＰＬＳ用のヘッダが挿入されたフォーマットとなっている。このシムヘッダは、２つ以上スタックすることも可能である。
図２に、シムヘッダの各フィールドの内容の説明図を示す。なお、ここでは伝送媒体としてＥｔｈｅｒｎｅｔを使用している場合を示しているので、ＭＡＣ（Ｍｅｄｉａ  Ａｃｃｅｓｓ  Ｃｏｎｔｒｏｌ）のヘッダ（プリアンブル〜Ｔｙｐｅ／Ｌｅｎｇｔｈまでのヘッダ）とＦＣＳ（Ｆｒａｍｅ  Ｃｈｅｃｋ  Ｓｅｑｕｅｎｃｅ）が付与された形となっているが、物理的な伝送媒体としてはＥｔｈｅｒｎｅｔでなくても良く、その場合は、ＭＡＣのヘッダ、フッダの代わりに、伝送媒体に従ったヘッダ、フッダが付与される。
Ｔ−ＭＰＬＳネットワークでは、シムヘッダに格納するラベルに対し、宛先ＩＰアドレスの情報が与えられる。その後はラベルのみを見てフォワーディングが繰り返され、目的地まで到着したらラベルが外される。結果的に、ＭＰＬＳによりフォワーディングされるラベル・パケットの道筋を、１本のパスのように扱うことが可能である。Ｔ−ＭＰＬＳネットワークでは、各ノードのラベルテーブルを制御することによって、ＩＰネットワークに明示的なルートを提供し、特定ルートにパケットが集約を防止することにより、リンクの使用効率を高めることが可能となる。
【０００４】
また、図３に、ＭＰＬＳ  ＯＡＭフレームフォーマットの説明図を示す。
Ｔ−ＭＰＬＳ技術では、ＩＰ・Ｅｔｈｅｒｎｅｔパケット化した際においても、転送されるデータの高品質で安定した転送を支援する為にＩＴＵ−Ｔ  Ｙ．１７３０、Ｙ．１７３１、Ｙ．１７１０、Ｙ．１７１１において、ＯＡＭ（Ｏｐｅｒａｔｉｏｎ  Ａｎｄ  Ｍａｉｎｔｅｎａｎｃｅ）機能と呼ばれる保守運用機能を提供している。図３に示すＯＡＭのフレームフォーマットのように、ＯＡＭフレームは、図１にて示したＭＰＬＳフレームのシムヘッダの一つをＯＡＭラベルとし、データ部を４４バイトのＯＡＭペイロードにした構成となっている。ＯＡＭラベルは、例えば、ＩＴＵ−ＴのＹ．１７１１によりＯＡＭフレーム用にラベルＩＤ＝１４を予約しており、ＥＸＰ（ＥＸＰｅｒｉｍｅｎｔａｌ  ｕｓｅ）、Ｓ、ＴＴＬ（Ｔｉｍｅ  Ｔｏ  Ｌｉｖｅ）の値はＥＸＰ＝０、Ｓ＝１、ＴＴＬ＝１と規定されている。ペイロードはＦｕｎｃｔｉｏｎ  Ｔｙｐｅ、ＬＳＰ（Ｌａｂｅｌ  Ｓｗｉｔｃｈ  Ｐａｔｈ）Ｔｒａｉｌ  Ｔｅｒｍｉｎａｔｉｏｎ、Ｓｏｕｒｃｅ  Ｉｄｅｎｔｉｆｉｃａｔｉｏｎ（ＴＴＳＩ）、ＢＩＰ（Ｂｉｔ  Ｉｎｔｅｒｌｅａｖｅｄ  Ｐａｒｔｙ）とＯＡＭフレーム別のデータ領域からなる。
【０００５】
図４に、ＭＰＬＳ  ＯＡＭの代表例の説明図を示す。
また、図５に、ＦＤＩ方向とＢＤＩ方向についての説明図を示す。
以下に各フィールドの内容を示す。
（１）Ｆｕｎｃｔｉｏｎ  ｔｙｐｅ
ＯＡＭ種別を示すフィールドとなる。本フィールドの値はＹ．１７１１で規定されている（図４参照）。
（２）ＬＳＰ  ＴＴＳＩ
ＯＡＭフレーム送出ノードを特定するＬＳＲ  ＩＤとＬＳＰ  ＩＤから構成されている。Ｙ．１７１１ではＬＳＲ  ＩＤはノードに割り振られたＩＰｖ６アドレスまたはＩＰｖ４アドレスと規定されている。
（３）ＢＩＰ１６
誤り訂正用のＢＩＰ１６演算範囲は、ＯＡＭ  ｆｕｎｃｔｉｏｎ  ｔｙｐｅからＢＩＰ１６フィールドの直前までの４２Ｂｙｔｅとなる。
【０００６】
ＯＡＭの代表的な例として、ＣＶ（Ｃｏｎｎｅｃｔｉｖｉｔｙ  Ｖｅｒｉｆｉｃａｔｉｏｎ）、ＦＤＩ（Ｆｏｒｗａｒｄ  Ｄｅｆｅｃｔ  Ｉｎｄｉｃａｔｏｒ）、ＢＤＩ（Ｂａｃｋｗａｒｄ  Ｄｅｆｅｃｔ  Ｉｎｄｉｃａｔｏｒ）、ＦＦＤ（Ｆｉｒｓｔ  Ｆａｉｌｕｒｅ  Ｄｅｔｅｃｔｉｏｎ）がある。
【０００７】
ＣＶとは、ＭＰＬＳパスのＥｎｄ  ｔｏ  Ｅｎｄの正常性を確認するための機能であり、送信端ポイントであるＭＰＬＳ装置内のＵＮＩ（Ｕｓｅｒ  Ｎｅｔｗｏｒｋ  Ｉｎｔｅｒｆａｃｅ）から挿入され、受信端ポイントであるＭＰＬＳ装置内のＵＮＩで終端される。例えば、ＣＶの挿入周期は１秒固定であり、ＣＶ受信端ポイントであるＵＮＩでは、３秒間ＣＶ未受信状態が続くとＬＯＣＶ（Ｌｏｓｓ  Ｏｆ  ＣＶ）状態を検出し、ＣＶ送信端ポイントであるＵＮＩへＢＤＩでＬＯＣＶ検出を通知する。ＬＯＣＶ検出により、伝送路断などの伝送路の状態を確認することが可能となる。
ＦＤＩとは、図５に示すような上り方向（送信方向）に異常及びその原因を通知するための機能であり、ＵＮＩにおけるユーザ装置とのリンク断検出時やＮＮＩ（Ｎｅｔｗｏｒｋ  Ｎｏｄｅ  Ｉｎｔｅｒｆａｃｅ）におけるＭＰＬＳ装置同士のリンク断検出時などに検出パスに対して挿入する。例えば、ＦＤＩは障害検出が解除されるまで１秒間隔で挿入し、ペイロードのＤｅｆｅｃｔ  ｔｙｐｅフィールド（例えば、図３のＯＡＭ別データ領域に相当）でパスの終端ポイントであるＵＮＩとそのパスの中継ポイントであるＮＮＩにその要因となっている障害情報を通知する。
ＢＤＩとは、図５に示すような下り方向（送信方向と逆向きの方向）に異常及びその原因を通知するための機能であり、ＦＤＩを受信したパス及びＬＯＣＶを検出したパスに対してＥｎｄポイントであるＵＮＩへ障害発生情報を通知のために挿入する。ＢＤＩは、例えば、ＦＤＩを受信している間１秒間隔で挿入し、ＦＤＩと同じくペイロードのＤｅｆｅｃｔ  ｔｙｐｅで対向パスの終端ポイントであるＵＮＩとそのパスの中継ポイントであるＮＮＩに対して障害発生情報を通知する。
ＦＦＤとは、ＣＶと同様にＭＰＬＳパスのＥｎｄ  ｔｏ  Ｅｎｄの正常性を確認するための機能であり、送信端ポイントであるＵＮＩから挿入され、受信端ポイントであるＵＮＩで終端される。例えば、ＣＶの挿入周期は１秒固定であるのに対し、ＦＦＤの挿入周期は１０ｍｓ、２０ｍｓ、５０ｍｓ、１００ｍｓ、２００ｍｓ、５００ｍｓで可変設定可能となる。ＦＦＤは、主に伝送路断が起きた際の現用系から予備系への切替のために使用するため、ＣＶとは異なり許容切替時間によって挿入周期を変更する必要がある。
これらＯＡＭ信号のうち、ＣＶ及びＦＦＤは、パス単位で一定時間ごとに、対向側装置に向け送信され、対向側装置でＣＶ及びＦＦＤを監視することによって、伝送路の障害を検出する。しかしながら、伝送路の帯域と言う観点からＣＶ及びＦＦＤを見ると、パス数の増加及び挿入周期を短くすることで、ＣＶ及びＦＦＤの帯域は増大し、その分、主信号パケットの帯域を逼迫する可能性がある。
【先行技術文献】
【非特許文献】
【０００８】
【非特許文献１】ＩＴＵ−Ｔ  Ｙ．１３７０．１、Ｙ．１３７１、Ｙ．１３８１、Ｙ．１４１３、Ｙ．１７３０、Ｙ．１７３１、Ｙ．１７１０、Ｙ．１７１１
【発明の概要】
【発明が解決しようとする課題】
【０００９】
Ｔ−ＭＰＬＳ技術を用いたネットワーク等では、一定周期で専用のＯＡＭフレーム（例、ＣＶ）を転送することにより、伝送路断・劣化の検出を行っている。品質確認の周期を短くする必要がある場合（例、ＦＦＤを用いる場合）、また、主信号のパケット数が多い場合、ＯＡＭフレームの帯域は、主信号帯域を逼迫する可能性がある。
ＳＤＨ／ＳＯＮＥＴ信号がカプセル化されたＴ−ＭＰＬＳ信号では、Ｅｔｈｅｒｎｅｔ信号と異なり、必ず一定周期でＴ−ＭＰＬＳ信号が転送される。
本発明は、以上の点に鑑み、ＯＡＭパケットを転送することなく、一定時間間隔内でのパケット信号の受信有無で、伝送路断・劣化の検出を行うことを目的とする。
【課題を解決するための手段】
【００１０】
本発明の第１の解決手段によると、
ＳＤＨ（Ｓｙｎｃｈｒｏｎｏｕｓ  Ｄｉｇｉｔａｌ  Ｈｉｅｒａｒｃｈｙ）／ＳＯＮＥＴ（Ｓｙｎｃｈｒｏｎｏｕｓ  Ｏｐｔｉｃａｌ  ＮＥＴｗｏｒｋ）信号又は他の同期伝送信号をＭＰＬＳ（Ｍｕｌｔｉ−Ｐｒｏｔｏｃｏｌ  Ｌａｂｅｌ  Ｓｗｉｔｃｈｉｎｇ）信号にカプセル化し、ＭＰＬＳ信号をＳＤＨ／ＳＯＮＥＴ号にデカプセル化し、保守運用信号の挿入及び受信処理を実行する伝送装置において、
対向伝送装置側から入力されたＭＰＬＳ信号を主信号と保守運用信号に分け、伝送路障害を検出するための伝送路障害検出装置と、
前記伝送路障害検出装置による伝送路障害の検出に基づき、対向の伝送装置に保守運用信号を送信するための保守運用信号処理部と、
ユーザ装置側から出力されたＳＤＨ／ＳＯＮＥＴ信号又は他の同期伝送信号をカプセル化し、対向伝送装置側へと出力し、前記伝送路障害検出装置から出力されたＭＰＬＳ信号の主信号をデカプセル化して、ユーザ装置側に送出するための変換部と、
を備え、
送信側では、
前記変換部は、保守運用信号パケットを含めず、周期的に主信号を送信し、
受信側では、
前記伝送路障害検出装置は、主信号を受信した後に、予め設定された時間、次の主信号を受信していないと判定した場合、伝送路障害を検出したと判断し、
前記保守運用信号処理部は、前記伝送路障害検出装置による伝送路障害の検出に基づき、対向の伝送装置へ主信号が伝送されていない状態かアイドル状態かを検出し、アイドル状態のときに伝送路障害を通知するための保守運用信号を前記対向の伝送装置へ送信する
ことにより、主信号を用いた伝送路障害を検出するための前記伝送装置が提供される。
【００１１】
本発明の第２の解決手段によると、
上述のような伝送装置と、
多重化したＭＰＬＳ信号を対向伝送装置と伝送するネットワークノードインターフェースと、
前記伝送装置とネットワークノードインターフェースの間の伝送方路の切替を実施するスイッチと、
を備えた伝送システムが提供される。
本発明の第３の解決手段によると、
ＳＤＨ（Ｓｙｎｃｈｒｏｎｏｕｓ  Ｄｉｇｉｔａｌ  Ｈｉｅｒａｒｃｈｙ）／ＳＯＮＥＴ（Ｓｙｎｃｈｒｏｎｏｕｓ  Ｏｐｔｉｃａｌ  ＮＥＴｗｏｒｋ）信号又は他の同期伝送信号をＭＰＬＳ（Ｍｕｌｔｉ−Ｐｒｏｔｏｃｏｌ  Ｌａｂｅｌ  Ｓｗｉｔｃｈｉｎｇ）信号にカプセル化し、ＭＰＬＳ信号をＳＤＨ／ＳＯＮＥＴ号にデカプセル化し、保守運用信号の挿入及び受信処理を実行する伝送装置における障害検出方法であって、
送信側では、
ユーザ装置側から出力されたＳＤＨ／ＳＯＮＥＴ信号又は他の同期伝送信号をカプセル化し、対向伝送装置側へ、保守運用信号パケットを含めず、周期的に主信号を送信し、
受信側では、
対向伝送装置側から入力されたＭＰＬＳ信号を主信号と保守運用信号に分け、主信号を受信した後に、予め設定された時間、次の主信号を受信していないと判定した場合、伝送路障害を検出したと判断し、
前記伝送路障害の検出に基づき、対向の伝送装置へ主信号が伝送されていない状態かアイドル状態かを検出し、アイドル状態のときに伝送路障害を通知するための保守運用信号を前記対向の伝送装置へ送信する
ことにより、主信号を用いた伝送路障害を検出するための前記障害検出方法が提供される。
【発明の効果】
【００１２】
本発明によると、伝送路の断検出用のＯＡＭパケット（例、ＣＶ、ＦＦＤ）を転送しなくなるので、その分の帯域を主信号用の帯域に割り当てることができ、伝送容量を増加することができる。
【図面の簡単な説明】
【００１３】
【図１】ＭＰＬＳデータフレームフォーマット。
【図２】ＭＰＬＳデータフレームに挿入するシムヘッダの内容の説明図。
【図３】ＭＰＬＳ  ＯＡＭフレームフォーマットの説明図。
【図４】ＭＰＬＳ  ＯＡＭの代表例の説明図。
【図５】ＦＤＩ方向とＢＤＩ方向についての説明図。
【図６】ＭＰＬＳ装置を用いたネットワーク構成図。
【図７】ＭＰＬＳ装置のハード構成図。
【図８】ＳＤＨ−ＵＮＩ盤のハード構成図。
【図９】ＦＤＩ・ＢＤＩの受信処理プロセスについてのフローチャート。
【図１０】ＦＤＩ・ＢＤＩの送信処理プロセスについてのフローチャート。
【図１１】伝送路断検出装置の機能ブロック図。
【図１２】パケット周期監視処理プロセスについてのフローチャート。
【図１３】ＭＰＬＳ信号の比較
【発明を実施するための形態】
【００１４】
図６に、本実施の形態のＴ−ＭＰＬＳネットワークシステムの構築図の一例を示す。
局舎１００−１〜１００−４は、それぞれ、各ＭＰＬＳ装置２００−１〜２００−４によって、主信号伝送路（実線）を介して接続され、ＭＰＬＳ装置２００−１〜２００−４は、リング状のＭＰＬＳネットワーク１０００を構成している。局舎１００−１内においてユーザ装置３００−１〜３００−２がＳＤＨ／ＳＯＮＥＴ信号やＥｔｈｅｒｎｅｔ信号の信号をＭＰＬＳ装置２００−１に入力する。ＭＰＬＳ装置２００−１では、異なるフォーマットの信号をＭＰＬＳ信号にカプセル化し、対向のＭＰＬＳ装置（例えば、ＭＰＬＳ装置２００−２）まで、信号が伝送される。伝送先のＭＰＬＳ装置２００−２では、ＭＰＬＳ信号からＳＤＨ／ＳＯＮＥＴ信号やＥｔｈｅｒｎｅｔ信号にデカプセル化され、各ユーザ装置に振り分けられる。また、各ＭＰＬＳ装置２００−１〜２００−２は、主信号伝送路とは別の制御線（破線）を介して互いに接続されており、ＭＰＬＳネットワーク１０００内の、各ＭＰＬＳ装置２００−１〜２００−２及び主信号伝送路の状態は、ＭＰＬＳ装置２００−１と接続されたネットワーク管理装置４００−１によって管理される。ネットワーク管理装置４００−１は、ＭＰＬＳネットワーク１０００内の各ＭＰＬＳ装置２００−１〜２００−４と通信を行い、各ＭＰＬＳ装置２００−１〜２００−４の伝送路断等の伝送路障害を含むＯＡＭ情報を管理する。ネットワーク管理装置４００−１により、ＭＰＬＳネットワーク１０００内にある各ＭＰＬＳ装置２００−１〜２００−４間の伝送路障害を遠隔地や保守センター等において集中して管理し、各ＭＰＬＳ装置２００−１〜２００−４を管理・運用することができる。
【００１５】
図７に、ＭＰＬＳ装置のハード構成図の一例を示す。ＭＰＬＳ装置は、ＳＤＨ−ＵＮＩ２１０、ＧｂＥ−ＵＮＩ２２０、ＳＷ（ＳＷｉｔｃｈ）２３０、ＮＮＩ２４０を備える。ＳＤＨ−ＵＮＩ２１０は、ＳＯＮＥＴ／ＳＤＨ信号とＭＰＬＳ信号のカプセル化／デカプセル化、及び多重化／多重分離化を実施する。ＧｂＥ−ＵＮＩ２２０は、Ｅｔｈｅｒｎｅｔ信号とＭＰＬＳ信号のカプセル化／デカプセル化、及び多重化／多重分離化を実施する。ＳＷ２３０は、伝送方路の切替を実施する。ＮＮＩ２４０は、多重化した高速信号を対向伝送装置まで長距離伝送する。ここで、保守運用信号のＯＡＭ信号は、ＳＤＨ−ＵＮＩ２１０及び、ＧｂＥ−ＵＮＩ２２０において挿入・受信処理がなされる。
図８に、ＳＤＨ−ＵＮＩ２１０のハードウェア構成図の一例を示す。最初に、主信号（実線）の動きを説明する。ユーザ装置１００から出力されたＳＤＨ／ＳＯＮＥＴ信号は光モジュール２１１で光電変換なされ、ＳＤＨ／ＳＯＮＥＴ⇔ＭＰＬＳ変換部２１２によってカプセル化され、ＳＷ２３０へと出力される。逆にＳＷ２３０より入力したＭＰＬＳ信号は、伝送路断検出装置２１５によって、主信号とＯＡＭ信号の区別がつけられ、主信号の場合、ＳＤＨ／ＳＯＮＥＴ⇔ＭＰＬＳ変換部２１２でデカプセル化され、光モジュール２１１による光電変換を介して、ユーザ装置１００まで送出される。
【００１６】
次にＯＡＭ信号（破線）の動きを説明する。ＯＡＭ信号は、ＯＡＭ処理部２１３にて、送信と受信処理が行われる。
図９に、ＦＤＩ及びＢＤＩの受信処理プロセスについてのフローチャートを示す。受信処理では、ＯＡＭ処理部２１３は、Ｆｕｎｃｔｉｏｎ  ＴｙｐｅをキーにＯＡＭ信号の種別を検出し（Ａ０１、Ａ０５）、その種別を制御線（点線）を介して警報処理部２１４に通知する（Ａ０３、Ａ０７）。その際に、ＯＡＭ処理部２１３は、Ｆｕｎｃｔｉｏｎ  Ｔｙｐｅが規定されていなかったＯＡＭ信号に関しては、規定外フレームとして廃棄を行う（Ａ０９）。このようにして、ＯＡＭ処理部２１３は、ステップＡ０３ではＦＤＩ受信通知を行い、一方、ステップＡ０７ではＢＤＩ受信通知を行う。
図１０に、ＦＤＩ及びＢＤＩの送信処理プロセスについてのフローチャートを示す。送信処理では、ＳＤＨ／ＳＯＮＥＴ⇔ＭＰＬＳ変換部２１２及び／又は伝送路断検出装置２１５で、障害を検出した場合に、ＳＤＨ／ＳＯＮＥＴ⇔ＭＰＬＳ変換部２１２又は伝送路断検出装置２１５は、それぞれ、警報処理部２１４に通知する。警報処理部２１４は、その障害の種類によって、例えば、伝送路断検出装置２１５から伝送路断等の伝送路障害を通知されたり、ＯＡＭ処理部２１３からＦＤＩ又はＢＤＩの受信を通知されたときなど対向装置に通知すべき警報に関しては、ＯＡＭ処理部２１３にＯＡＭ信号の送信を通知し、ＯＡＭ処理部２１３は、その通知を受信する（Ｂ０１）。その際に、ＯＡＭ処理部２１３は、ＭＰＬＳ伝送路の状態を調べ、パケット送信状態かアイドル状態かを判定する（Ｂ０３）。パケット送信状態の場合は、そのパケットを伝送するまで待機する。アイドル状態の場合には、ＦＤＩやＢＤＩのＯＡＭ信号を送出する（Ｂ０５）。
【００１７】
図１１に、主信号パケットを用いた伝送路断検出方式の機能ブロック図を示す。また、図１２に、パケット周期監視処理プロセスについてのフローチャートを示す。
伝送路断検出装置２１５のパケット判定部２１５−２は、まず有効フラグを立てることにより、伝送路断検出を開始する。有効フラグを入れなかった場合は、パケット判定部２１５−２は、ＭＰＬＳ信号の判別のみを行う。パケット判定部２１５−２は、有効フラグを入れることにより、周期監視タイマー２１５−１をセットする（Ｃ０１）。その後、パケット判定部２１５−２は、周期監視タイマー２１５−１のカウンタによる測定時間が外部入力によって設定された時間を超えたかどうかの判定を実施（Ｃ０３）する。測定時間が設定時間内であった場合は、パケット判定部２１５−２は、パケットの受信を確認（Ｃ０５）する。パケットを受信していない場合は、パケット判定部２１５−２は、再び、周期監視タイマー２１５−１のカウンタによる測定時間が外部入力によって設定された時間を超えたかどうかの判定を実施（Ｃ０３）する。パケット判定部２１５−２は、パケットを受信した場合は、主信号かＯＡＭ信号かの判定を行う（Ｃ０７）。ＯＡＭ信号であった場合は、パケット判定部２１５−２は、ＯＡＭ処理部２１３にＯＡＭ信号を転送（Ｃ０９）し、時間判定に戻る（Ｃ０３）。主信号であった場合、パケット判定部２１５−２は、周期監視タイマー２１５−１のカウンタをリセットし（Ｃ１１）、ステップＣ０１に進む。設定時間を超えた場合は、パケット判定部２１５−２は、警報処理部２１４に伝送路断を通知する（Ｃ１３）。このようにして、伝送路断検出装置２１５は、主信号パケットを用いた伝送路断検出を実現する。
なお、警報処理部２１４は、伝送路断の通知を受けると、対向装置に対して上り方向（送信方向）にはＦＤＩ、下り方向（送信方向と逆向きの方向）にはＢＤＩ等のＯＡＭ処理部２１３にＯＡＭ信号の送信を通知する。ＯＡＭ処理部２１３は、このような通知により、図１０に示したように、送信処理プロセスを実行する。
【００１８】
ここで、主信号パケットを用いた伝送路断検出のための本方式のメリットを以下に説明する。
図１３に、従来方式と本方式のパケット列の模式図を示す。図１３−（Ａ）はＥｔｈｅｒｎｅｔ信号、図１３−（Ｂ）はＭＰＬＳ化したＥｔｈｅｒｎｅｔ信号、図１３−（Ｃ）はＭＰＬＳ化したＳＤＨ／ＳＯＮＥＴ信号（従来方式）、図１３−（Ｄ）はＳＤＨ／ＳＯＮＥＴ信号（本方式）である。
図１３−（Ａ）のように、Ｅｔｈｅｒｎｅｔ信号はバースト信号であり、送りたい信号があるときのみ、伝送路に信号を送出される。そのため、伝送路の帯域を広く使える反面、伝送路断が起きた場合でも、信号を送出していないのか、途中で障害がおきたのかが受信側では不可分なため、伝送路断を検出できないなど保守・運営上の課題があった。そのため、図１３−（Ｂ）のように、ＯＡＭ信号に帯域を割くことによって、保守・運営能力が強化される。対して、ＳＤＨ／ＳＯＮＥＴ信号は、ストリーム信号であり、常に一定のフレーム周期で信号を送出している。そのため、主信号が途切れた場合は、途中に障害が発生している場合のみである。そのため、ＯＡＭ信号のＣＶ及び／又はＦＦＤといった伝送路断を検出する信号は本質的には不要となると考えられる。そこで、本方式により、図１３−（Ｄ）のように主信号にＣＶやＦＦＤの機能を持たすことによって、その分、主信号に帯域を広く割り当てることが可能となる。また、本方式においても、ＦＤＩやＢＤＩなどのＯＡＭ信号を送る場合は、図１３−（Ｃ）のように、ＯＡＭ信号の使用は必要となる。しかしながら、ＦＤＩやＢＤＩは、ＬＯＣＶやリンク断などの異常が起きた時のみ発出する信号であり、その場合、通常、正常に通信が行われている状態ではないので、主信号に帯域を割り当てる必要がないため、ＦＤＩやＢＤＩの帯域が正常通信時の主信号帯域を逼迫することはない。
【産業上の利用可能性】
【００１９】
本発明は、Ｔ−ＭＰＬＳ技術を用いたネットワーク以外にも、他のＭＰＬＳ技術や、一定周期で主信号フレームを転送することで、伝送路の断又は劣化等を検出するような各種ネットワークに適用することができる。
また、上述の説明では、主に伝送路断について説明したが、本発明はこれに限らず、パケットやデータの伝送路の劣化等のような様々な伝送路障害に適用することができる。
【図１】
2011009811.tif 000003
【図２】
2011009811.tif 000004
【図３】
2011009811.tif 000005
【図４】
2011009811.tif 000006
【図５】
2011009811.tif 000007
【図６】
2011009811.tif 000008
【図７】
2011009811.tif 000009
【図８】
2011009811.tif 000010
【図９】
2011009811.tif 000011
【図１０】
2011009811.tif 000012
【図１１】
2011009811.tif 000013
【図１２】
2011009811.tif 000014
【図１３】
2011009811.tif 000015